(57)【要約】【課題】  ユーザの安全確保と読取画像の劣化防止との両立が図られた原稿読取装置を提供する。【解決手段】  原稿を１枚ずつ送り出し、所定の搬送路に沿って搬送された原稿を回収する自動原稿搬送器を備えた開閉自在な上蓋と、上蓋により覆われる、自動原稿搬送器によって搬送されてきた原稿と対面する位置に備えられたコンタクトガラスと、コンタクトガラス上方の読取位置を通過する原稿の読取位置を通過する領域に、コンタクトガラスの下方から光を照射する光源と、読取位置を通過する原稿で反射し、コンタクトガラスを通過して戻ってくる反射光を受光して画像信号に変換する受像センサと、コンタクトガラスの、光源側の面に接し、照射光および反射光を妨げないように配備され、かつ光源からの放射熱およびコンタクトガラスからの伝導熱を受けて伝熱し、コンタクトガラスから離れた位置で放熱する放熱部材とを備えた。【選択図】        図２
2007306321.tif 000002
【特許請求の範囲】
【請求項１】
画像が記録された原稿を載置する載置台と、該載置台に載置された原稿を１枚ずつ送り出し、所定の搬送路に沿って自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対面する位置に備えられたコンタクトガラスと、
前記コンタクトガラス上方の読取位置を通過する原稿の該読取位置を通過する領域に、該コンタクトガラスの下方から光を照射する光源と、
前記読取位置を通過する原稿で反射し、コンタクトガラスを通過して戻ってくる反射光を受光して画像信号に変換する受像センサと、
前記コンタクトガラスの、前記光源側の面に接し、前記照射光および反射光を妨げないように配備され、かつ前記光源からの放射熱および該コンタクトガラスからの伝導熱を受けて伝熱し、該コンタクトガラスから離れた位置で放熱する放熱部材とを備えたことを特徴とする原稿読取装置。
【請求項２】
前記コンタクトガラス下面の前記放熱部材が接触した領域に対応する、該コンタクトガラスの上面の領域に、耐熱性部材が取り付けられていることを特徴とする請求項１記載の原稿読取装置。
【発明の詳細な説明】
【技術分野】
【０００１】
本発明は、原稿上に記録された画像を読み取る原稿読取装置に関する。
【背景技術】
【０００２】
従来より、原稿上に記録された画像を読み取るための原稿読取装置が知られている。
【０００３】
原稿読取装置では、プラテンガラスと呼ばれる原稿載置用のガラス板の上に載置された原稿に向けて、露光光源を走査させながら光を照射し、原稿からの反射光を受像センサ上に結像させることで画像信号を得ている。
【０００４】
また、原稿読取装置には、所定のトレイ上に原稿を重ねて載置するだけで、重ねられた原稿から一枚ずつ原稿を送り出して所定の搬送路を搬送する自動原稿搬送器が備えられたものがあり、この自動原稿搬送器を用いた場合の原稿の読取りは、プラテンガラス上に載置された原稿の読取りとは異なり、搬送路を搬送される原稿と対向する位置に配置されたコンタクトガラスの下面側からこのコンタクトガラスの上面側を通過する原稿に向けて、静止した露光光源から露光光をコンタクトガラス越しに照射し、原稿からの反射光を受像センサ上に結像させることで行われている。
【０００５】
ところが、自動原稿搬送器を用いた原稿の読取りにおいては、コンタクトガラスの下面側から上面側を通過する原稿に向けて照射された露光光や原稿からの反射光はコンタクトガラス上の所定部位を通過する。このため、トレイ上に載置された原稿枚数が多い場合には、コンタクトガラスのこの所定部位の温度が過度に上昇し、ユーザが誤ってその部分に触れると火傷を負う危険性がある。
【０００６】
そこで、コンタクトガラスと光源との間に、赤外線帯域の光線を反射するコールドフィルタ、あるいは、熱線吸収フィルタなどの熱線遮断部材を設けるという提案がなされている（特許文献１、特許文献２参照）。
【特許文献１】実開平２−１４６６５９号公報
【特許文献２】実開昭６３−１２２３４１号公報
【発明の開示】
【発明が解決しようとする課題】
【０００７】
ところが、上記提案では、コンタクトガラスと光源との間に介在させる部材が１００％の光透過率を確保できず、読取画像が劣化するという問題がある。
【０００８】
本発明は、上記事情に鑑み、ユーザの安全確保と読取画像の劣化防止との両立が図られた原稿読取装置を提供することを目的とする。
【課題を解決するための手段】
【０００９】
上記目的を達成するための本発明の原稿読取装置は、
画像が記録された原稿を載置する載置台と、この載置台に載置された原稿を１枚ずつ送り出し、所定の搬送路に沿って自動搬送する搬送部と、この搬送部によって搬送された原稿を回収する回収台とを有する自動原稿搬送器を備えた開閉自在な上蓋と、
上記上蓋により覆われる、上記自動原稿搬送器によって搬送されてきた原稿と対面する位置に備えられたコンタクトガラスと、
上記コンタクトガラス上方の読取位置を通過する原稿のこの読取位置を通過する領域に、このコンタクトガラスの下方から光を照射する光源と、
上記読取位置を通過する原稿で反射し、コンタクトガラスを通過して戻ってくる反射光を受光して画像信号に変換する受像センサと、
上記コンタクトガラスの、上記光源側の面に接し、上記照射光および反射光を妨げないように配備され、かつ上記光源からの放射熱およびこのコンタクトガラスからの伝導熱を受けて伝熱し、このコンタクトガラスから離れた位置で放熱する放熱部材とを備えたことを特徴とする。
【００１０】
本発明の原稿読取装置では、コンタクトガラスの、光源側の面に接し、かつ、コンタクトガラスと、光源および受像センサとの間を進む照射光および反射光を妨げない位置に配備された放熱部材によって、光源からの熱がコンタクトガラスから離れた位置で放熱される。したがって、本発明の原稿読取装置によれば、コンタクトガラスの過度の温度上昇を抑制することができることから、ユーザの安全確保と読取画像の劣化防止とを両立することができる。
【００１１】
ここで、上記コンタクトガラス下面の上記放熱部材が接触した領域に対応する、このコンタクトガラスの上面の領域に、耐熱性部材が取り付けられていることが好ましい。
【００１２】
コンタクトガラス下面の、放熱部材が接触した領域に対応する、コンタクトガラスの上面の領域に、耐熱性部材を取り付けると、放熱部材の中で最も温度が上昇すると考えられる部位へのユーザの直接的な接触を防止することができる。これにより、ユーザの安全の確保をより一層図ることができる。
【発明の効果】
【００１３】
本発明の原稿読取装置によれば、ユーザの安全確保と読取画像の劣化防止との両立を図ることができる。
【発明を実施するための最良の形態】
【００１４】
以下、本発明の実施形態について説明する。
【００１５】
図１は、本発明の原稿読取装置の第１実施形態の概略構成図である。
【００１６】
図１に示す、本実施形態の原稿読取装置１は、１枚もしくは複数枚の原稿２００が載置される載置台２１、および、この載置台２１に載置された原稿を一枚ずつ送り出し、搬送路に沿って搬送する搬送部２２からなる自動原稿搬送器２０を有する上蓋２と、筐体３０、原稿２００の読取りを行う原稿読取部３１、原稿読取部３１からの原稿画像を表す画像信号を受信すると共に原稿読取部３１の動作を制御する制御部３２、自動原稿搬送器２０によって搬送されてきた原稿と対向する位置に備えられたコンタクトガラス３４、および、コンタクトガラス３４に隣接して配備された、ユーザによって原稿が一枚ずつ載置されるプラテンガラス３３を有する画像読取器３とからなる、画像が記録された原稿の読取りが可能なものである。尚、自動原稿搬送器２０を備えた上蓋２は、筐体３０の上部に開閉自在に取りつけられており、原稿を搬送する搬送路にそって搬送された原稿は、上蓋２の上面の一部２ａに排出されるようになっている。
【００１７】
原稿読取部３１は、自動原稿搬送器２０によって搬送路に沿って搬送されてくる原稿２００がコンタクトガラス３４上を通過する際に、原稿に記録された画像を読み取るものであり、図１における手前側から奥側にかけて延在して配備され原稿に向けて露光光を照射する光源３１１と、光源３１１からの光を反射してコンタクトガラス３４に向けさせる第１ミラー３１２、原稿で反射してきた反射光を水平方向に向けさせる第２ミラー３１３と、第２ミラー３１３によって水平方向に向けられた反射光の向きを逆向きにするミラーユニット３１４と、ミラーユニット３１４からの反射光を結像させるレンズ３１５と、レンズ３１５により結像された光像を受像し画像信号を出力する受像センサ３１６とで構成されている。尚、第１ミラー３１２は、光反射効率のよい金属板などで置き換えることも可能である。
【００１８】
この原稿読取装置１では、原稿２００をプラテンガラス３３上に１枚ずつ載置しての原稿の読取りを、原稿読取部３１の光源３１１やミラーユニット３１４等を筐体３０内で走査させて行ない、自動原稿搬送器２０により自動搬送されてくる原稿の読取りを、原稿読取部３１の光源３１１やミラーユニット３１４等を図１に示す状態に静止させたままで行う。尚、原稿読取部３１の構成要素の走査は、制御部３２によって制御されている。
【００１９】
図２は、図１に示すコンタクトガラス周辺の断面図である。
【００２０】
図２には、コンタクトガラス３４を保持すると共に搬送路に沿って実線矢印に示す向きに搬送されてくる原稿の搬送を補助する搬送ガイド３６が示されており、コンタクトガラス３４の上方の原稿の読取位置に、コンタクトガラス３４の下方の、光源３１１および第１ミラー３１２からの照射光が照射され、原稿で反射しコンタクトガラス３４を通過して戻ってくる反射光が第２ミラー３１３で水平方向に反射されている様子が示されている。
【００２１】
また、図２には、コンタクトガラス３４の、光源側の面に接し光源３１１からの放射熱およびコンタクトガラス３４からの伝導熱を受けて伝熱し、コンタクトガラス３４の一部から筐体側面にまで延び、そこで９０°折れ曲がって筐体３０の側面に沿って延在した放熱部材３５が示されている。この放熱部材３５は、アルミ等の熱伝導性のよい部材であり、筐体の上面および側面と数ｍｍ程度の間を空けて配備されている。
【００２２】
筐体３０の側面には、内側に配備されている放熱部材３５からの放射熱を装置外に排出するためのスリット３０ａが備えられている様子が示されている。
【００２３】
本実施形態の原稿読取装置１では、コンタクトガラス３４の、光源側の面に接し、かつ、コンタクトガラス３４と、光源３１１、第１ミラー３１２、および第２ミラー３１３との間を進む照射光よび反射光を妨げないように配備された放熱部材３５によって、光源３１１からの熱がコンタクトガラス３４から離れた位置で放熱される。したがって、本実施形態の原稿読取装置１によれば、コンタクトガラス３４の過度の温度上昇を抑制することができることから、ユーザの安全確保と読取画像の劣化防止とを両立することができる。
【００２４】
さらに、図２には、コンタクトガラス下面の放熱部材３５が接触した領域に対応する、コンタクトガラス３４の上面の領域に、耐熱性テープ３７が貼り付けられている様子が示されている。これにより、本実施形態の原稿読取装置１によれば、放熱部材３５の中で最も温度が上昇すると考えられる部位へのユーザの直接的な接触を防止することができることから、ユーザの安全確保をより一層図ることができる。
【００２５】
次に、本発明の原稿読取装置の第２実施形態について説明する。
【００２６】
図３は、本実施形態の原稿読取装置のコンタクトガラス周辺の断面図である。
【００２７】
本実施形態と第１実施形態との間の相違点は、コンタクトガラス３４の、光源側の面に接し光源３１１からの放射熱およびコンタクトガラス３４からの伝導熱を受けて伝熱し、コンタクトガラス３４の一部から筐体３０の側面手前まで延在した放熱部材４５のみである。この放熱部材４５は、平板部４５２と複数のフィン部４５１とで構成されたアルミ製のものである。本実施形態の原稿読取装置でも、コンタクトガラス３４の、光源側の面に接し、かつ、コンタクトガラス３４と、光源３１１、第１ミラー３１２、および第２ミラー３１３との間を進む照射光よび反射光を妨げないように配備された放熱部材４５によって、光源３１１からの熱がコンタクトガラス３４から離れた位置で放熱される。したがって、本実施形態の原稿読取装置によっても、コンタクトガラス３４の過度の温度上昇を抑制することができることから、ユーザの安全確保と読取画像の劣化防止とを両立することができる。
【００２８】
なお、以上に説明した２種類の実施形態では、コンタクトガラス下面の放熱部材３５、４５が接触した領域に対応する、コンタクトガラス３４の上面の領域に、耐熱性テープ３７を貼り付けた例を挙げて説明したが、コンタクトガラス３４の上面が剥き出しになっていても、本発明の効果は減却されるものではない。
【図面の簡単な説明】
【００２９】
【図１】本発明の原稿読取装置の第１実施形態の概略構成図である。
【図２】図１に示すコンタクトガラス周辺の断面図である。
【図３】第２実施形態の原稿読取装置のコンタクトガラス周辺の断面図である。
【符号の説明】
【００３０】
１  原稿読取装置
２  上蓋
２０  自動原稿搬送器
２１  原稿載置台
２２  原稿搬送部
２００  原稿
３  画像読取器
３０  筐体
３１  原稿読取部
３１１  光源
３１２  第１ミラー
３１３  第２ミラー
３１４  ミラーユニット
３１５  レンズ
３１６  受像センサ
３２  制御部
３３  プラテンガラス
３４  コンタクトガラス
３５、４５  放熱部材
３６  搬送ガイド
３７  耐熱性テープ
【図１】
2007306321.tif 000003
【図２】
2007306321.tif 000004
【図３】
2007306321.tif 000005